(57)【要約】【課題】サーバや携帯端末の間てデータの通信するシステムを効率的に行い、システム開発者の技術的負担を軽減する。【解決手段】情報通信システム１００において、業務サーバ１と携帯端末６との関係を、通信プロトコルの最上位層にあたるアプリケーション層で結びついたものにする。通信プロトコルの下位層（ＴＣＰ／ＩＰ層など）については、業務サーバ１と携帯端末６の関係においては、お互いに意識する必要がないようにする。【選択図】　　　図３
2004104617.tif 000002
【特許請求の範囲】
【請求項１】
送信元装置から送信先装置に送信すべき送信データおよび前記送信先装置の電話番号データが入力されると、前記送信先装置に対応するネットワークアドレスを取得し、前記ネットワークアドレスを用いて前記送信先装置に対しネットワークを介して前記送信データを送信する送信部と、
前記送信データを送信後、前記送信先装置から前記送信元装置が前記送信データに対応する返信データを受信すべく、前記ネットワークアドレスを所定時間保持する保持部と
を有することを特徴とするデータ送信サーバ。
【請求項２】
請求項１に記載のデータ送信サーバにおいて、前記送信先装置は前記ネットワークアドレスが予め特定アドレスとして確保されている装置を含むことを特徴とするデータ送信サーバ。
【請求項３】
請求項１または請求項２のいずれかに記載のデータ送信サーバにおいて、
前記ネットワークはパケット通信網であることを特徴とするデータ送信サーバ。
【請求項４】
請求項１ないし請求項３のいずれかに記載のデータ送信サーバにおいて、
前記ネットワークアドレスはＩＰ（Ｉｎｔｅｒｎｅｔ　Ｐｒｏｔｏｃｏｌ）アドレスであることを特徴とするデータ送信サーバ。
【請求項５】
請求項１ないし請求項４のいずれかに記載のデータ送信サーバにおいて、
前記送信データは送信メールであり、前記返信データは返信メールであることを特徴とするデータ送信サーバ。
【請求項６】
送信元装置から送信先装置に送信すべき送信データおよび前記送信先装置の電話番号データが入力されると、前記送信先装置に対応するネットワークアドレスを取得する取得過程と、
前記ネットワークアドレスを用いて前記送信先装置に対しネットワークを介して前記送信データを送信する送信過程と、
前記送信先装置から前記送信元装置が前記送信データに対応する返信データを受信すべく、前記ネットワークアドレスを所定時間保持する保持過程と
を有することを特徴とするデータ送信サーバの制御方法。
【請求項７】
請求項６に記載のデータ送信サーバの制御方法において、
前記取得過程は、前記送信先装置に対応する前記ネットワークアドレスが予め特定アドレスとして確保されている場合は、当該特定アドレスを前記ネットワークアドレスとして取得することを特徴とするデータ送信サーバの制御方法。
【請求項８】
請求項６または請求項７のいずれかに記載のデータ送信サーバの制御方法において、
前記ネットワークはパケット通信網であり、前記取得過程は、前記ネットワークアドレスとしてＩＰ（Ｉｎｔｅｒｎｅｔ　Ｐｒｏｔｏｃｏｌ）アドレスを取得する過程を有することを特徴とするデータ送信サーバの制御方法。
【請求項９】
送信元装置から送信先装置に送信すべき送信メールおよび前記送信先装置の電話番号データが入力されると、前記送信先装置に対応するネットワークアドレスを取得する取得過程と、
前記ネットワークアドレスを用いて前記送信先装置に対しネットワークを介して前記送信メールを送信する送信過程と、
前記送信先装置から前記送信元装置が前記送信メールに対応する返信メールを受信すべく、前記ネットワークアドレスを所定時間保持する保持過程と
を有することを特徴とするデータ送信サーバの制御方法。
【請求項１０】
コンピュータを、
送信元装置からの送信先装置に送信すべき送信データおよび前記送信先装置の電話番号データの入力に伴って、前記送信先装置に対応するネットワークアドレスを取得する取得手段と、
前記ネットワークアドレスを用いて前記送信先装置に対しネットワークを介して前記送信データを送信する送信手段と、
前記送信先装置から前記送信元装置が前記送信データに対応する返信データを受信させるべく、前記ネットワークアドレスを所定時間保持する保持手段として機能させるためのプログラム。
【請求項１１】
請求項１０に記載のプログラムにおいて、
前記取得手段は、前記送信先装置に対応する前記ネットワークアドレスが予め特定アドレスとして確保されている場合は、当該特定アドレスを前記ネットワークアドレスとして取得することを特徴とするプログラム。
【請求項１２】
請求項１０または請求項１１のいずれかに記載のプログラムにおいて、
前記ネットワークはパケット通信網であり、
前記取得手段は、前記ネットワークアドレスとしてＩＰ（Ｉｎｔｅｒｎｅｔ　Ｐｒｏｔｏｃｏｌ）アドレスを取得することを特徴とするプログラム。
【請求項１３】
コンピュータを、
送信元装置からの送信先装置に送信すべき送信メールおよび前記送信先装置の電話番号データの入力に伴って、前記送信先装置に対応するネットワークアドレスを取得する取得手段と、
前記ネットワークアドレスを用いて前記送信先装置に対しネットワークを介して前記送信メールを送信する送信手段と、
前記送信先装置から前記送信元装置が前記送信メールに対応する返信メールを受信させるべく、前記ネットワークアドレスを所定時間保持する保持手段として機能させるためのプログラム。
【請求項１４】
コンピュータを、
送信元装置からの送信先装置に送信すべき送信データおよび前記送信先装置の電話番号データの入力に伴って、前記送信先装置に対応するネットワークアドレスを取得する取得手段と、
前記ネットワークアドレスを用いて前記送信先装置に対しネットワークを介して前記送信データを送信する送信手段と、
前記送信先装置から前記送信元装置が前記送信データに対応する返信データを受信させるべく、前記ネットワークアドレスを所定時間保持する保持手段として機能させるためのプログラムを記録したコンピュータ読み取り可能な記録媒体。
【請求項１５】
請求項１４に記載の記録媒体において、
前記取得手段は、前記送信先装置に対応する前記ネットワークアドレスが予め特定アドレスとして確保されている場合は、当該特定アドレスを前記ネットワークアドレスとして取得することを特徴とするコンピュータ読み取り可能な記録媒体。
【請求項１６】
請求項１４または請求項１５のいずれかに記載の記録媒体において、
前記ネットワークはパケット通信網であり、
前記取得手段は、前記ネットワークアドレスとしてＩＰ（Ｉｎｔｅｒｎｅｔ　Ｐｒｏｔｏｃｏｌ）アドレスを取得することを特徴とするコンピュータ読み取り可能な記録媒体。
【請求項１７】
コンピュータを、
送信元装置からの送信先装置に送信すべき送信メールおよび前記送信先装置の電話番号データの入力に伴って、前記送信先装置に対応するネットワークアドレスを取得する取得手段と、
前記ネットワークアドレスを用いて前記送信先装置に対しネットワークを介して前記送信メールを送信する送信手段と、
前記送信先装置から前記送信元装置が前記送信メールに対応する返信メールを受信させるべく、前記ネットワークアドレスを所定時間保持する保持手段として機能させるためのプログラムを記録したコンピュータ読み取り可能な記録媒体。
【発明の詳細な説明】
【０００１】
【発明の属する技術分野】
本発明は、サーバや携帯端末の間において電子メール等のデータを通信する技術に関する。
【０００２】
【従来の技術】
オフィス内のサーバを用いたデータ通信システムであって、オフィス外に位置する携帯電話等の無線通信機器（以下、携帯端末）との間で、パケット網およびオフィス内のローカルエリアネットワーク（ＬＡＮ）を介してデータの送受信をするシステムが提供されている（例えば、特許文献１参照）。
以下、オフィス内のサーバからオフィス外の携帯端末に対してデータ送信する場合を例にとり、これまでのシステムの概要について説明する。
【０００３】
オフィス内のサーバは、はじめに、携帯端末に対してダイアルアップ接続する。パケット通信をする場合、サーバは、ダイヤルアップ接続した携帯端末ごとにＩＰ（Ｉｎｔｅｒｎｅｔ　Ｐｒｏｔｏｃｏｌ）アドレスを取得するとともに、取得したＩＰアドレスを用いてデータ通信を開始させている。
このように、これまでのシステムによれば、オフィス内のサーバは、携帯端末にデータを単に出力する処理だけではなく、ＩＰアドレスの取得、管理といったデータ通信にかかわる広い範囲での処理をする必要があった。すなわち、送信データそのものの出力といった通信プロトコルの上位層に係る処理から、ＩＰアドレスの取得といった通信プロトコルの下位層に係る処理まで、あらゆる層の処理を行わなければならなかった。
【０００４】
【特許文献１】
特開２００１−３０６４６３号公報（要約）
【０００５】
【発明が解決しようとする課題】
オフィス内のサーバを用いて、オフィスの規模に応じた独自のデータ通信システムを構築する場合がある。しかしながら、上述の通り、これまでのシステムでは、オフィス内のサーバは、データ送信する処理として、単にデータそのものの管理だけでなく、ＩＰアドレスの割り当て、管理といった幅広い処理を行わなくてはならない。このため、オフィス内のサーバのアプリケーションを開発するにあたっては、通信プロトコルの上位層に係る処理（データそのものを管理する処理など）から、プロトコルの下位層に係る処理（ＩＰアドレスの管理など）まで、あらゆる層の処理を考慮した上でのプログラム開発が求められ、技術的負担が大きかった。この結果、システムサービスをユーザに提供するのが遅れる問題もあった。
【０００６】
本発明は以上の点を考慮して行われたものであり、オフィス内のサーバが、通信プロトコルの上位層から下位層に至るまでの処理を意識することなく、携帯端末との間でデータ通信することができるデータ送信サーバ、データ送信サーバの制御方法、データ送信サーバの制御プログラムおよびそのプログラムが記憶された記録媒体を提供することを目的とする。
これにより、オフィスのサーバのアプリケーションプログラムを開発する際には、通信プロトコルのあらゆる層の処理を意識することなく行うことができ、プログラム開発者に対しては技術的負担の軽減を図ることができる。
【０００７】
【課題を解決するための手段】
上記課題を解決するため、本発明に係るデータ送信サーバの構成は、送信元装置から送信先装置に送信すべき送信データおよび前記送信先装置の電話番号データが入力されると、前記送信先装置に対応するネットワークアドレスを取得し、前記ネットワークアドレスを用いて前記送信先装置に対しネットワークを介して前記送信データを送信する送信部と、前記送信データを送信後、前記送信先装置から前記送信元装置が前記送信データに対応する返信データを受信すべく、前記ネットワークアドレスを所定時間保持する保持部とを有することを特徴とする。
【０００８】
かかるデータ送信サーバの構成によれば、送信データおよび送信先端末の電話番号のデータを入力すれば、送信部により、送信先端末を特定するためのネットワークアドレスが取得されるとともに、実際に送信先端末にデータの送信処理が行われる。また、保持部により、取得したネットワークアドレスが所定時間保持される。
このため、データ送信サーバに対して、送信データおよび送信先端末の電話番号のデータを入力さえすれば、送信先端末に対するデータ送信が行われる。ネットワークアドレスの取得といった通信プロトコルの下位層に係る煩雑な処理は、送信部によって行われるから、データ送信サーバのアプリケーションプログラムを構築する上での技術的負担が軽減される。
【０００９】
本発明に係るデータ送信サーバの制御方法は、送信元装置から送信先装置に送信すべき送信データおよび前記送信先装置の電話番号データが入力されると、前記送信先装置に対応するネットワークアドレスを取得する取得過程と、前記ネットワークアドレスを用いて前記送信先装置に対しネットワークを介して前記送信データを送信する送信過程と、前記送信先装置から前記送信元装置が前記送信データに対応する返信データを受信すべく、前記ネットワークアドレスを所定時間保持する保持過程とを有することを特徴とする。
【００１０】
かかるデータ送信サーバの制御方法によれば、送信データおよび送信先端末の電話番号のデータを入力さえすれば、送信先端末を特定するためのネットワークアドレスが取得されるとともに、実際に送信先端末にデータの送信処理が行われる。また、取得したネットワークアドレスが所定時間保持される。
このため、データ送信サーバに対しては、送信データおよび送信先端末の電話番号のデータを入力さえすれば、送信先端末に対するデータ送信が行われる。データ通信をする際に必要となるネットワークアドレスの取得といった通信プロトコルの下位層に係る煩雑な処理は、送信部によって行われるから、データ送信サーバのアプリケーションプログラムを構築する上での技術的負担が軽減される。
【００１１】
ここで、上述したデータ送信サーバの制御方法を実現する方法は任意である。ハードウェアを構成することにより実現してもよいし、コンピュータによってソフトウェア的に実現してもよい。
ソフトウェア的に実現する場合は、上述したデータ送信サーバの制御方法を実現するためのプログラムを作成することになるが、このプログラムをユーザに指定提供する形態も任意である。たとえば、コンピュータ読み取り可能な記録媒体（フロッピーディスクやＣＤ−ＲＯＭなど）に記録しておき、記録媒体としてユーザに提供するようにしてもよいし、あるいは、プログラムをインターネット等のネットワークを通じて配信（いわゆるネット配信）することによりユーザに提供するようにしてもよい。
【００１２】
【発明の実施の形態】
（実施形態の構成）
図１は、本発明の一実施形態である情報通信システム１００を示したものである。本システム１００は、業務サーバ１と、ミドルウェアサーバ２と、ルータ３と、携帯端末６とを備えており、このうち、業務サーバ１、ミドルウェアサーバ２およびルータ３はＬＡＮ７を介して接続されており、ルータ３と携帯端末６はパケット網９を介して接続されている。
【００１３】
業務サーバ１は、例えばＰＣ（Ｐｅｒｓｏｎａｌ　Ｃｏｍｐｕｔｅｒ）である。業務サーバ１には、本システム１００において必要なアプリケーションプログラム（業務アプリケーション１ａおよびミドルウェア１ｂ）が予めインストールされている。
業務アプリケーション１ａは、本システム１００における通信プロトコルの上位層にあたるアプリケーション層に関わる制御をするためのプログラムである。また、ミドルウェア１ｂは、通信プロトコルの上位層および下位層に係る制御をするためのプログラムである。具体的なプログラムの内容は後述する。
【００１４】
ミドルウェアサーバ２は、例えばＰＣである。ミドルウェアサーバ２には、本システム１００において必要なアプリケーションプログラム（ミドルウェアサーバプログラム２ａ）が予めインストールされている。
ミドルウェアサーバプログラム２ａは、本システム１００における通信プロトコルの下位層に係る制御（ＩＰアドレスの割り当て、管理など）をするためのプログラムである。
【００１５】
ルータ３は、ＬＡＮ７とパケット網９を介した電子メール等のデータ通信を実行する。ルータ３は、パケット網９を介した通信（パケット通信）を行うに際し、パケット網９の内のより詳細なルートを選択する。この機能により、迅速なパケット通信が実行される。
【００１６】
携帯端末６は、例えば携帯電話やＰＤＡ（Ｐｅｒｓｏｎａｌ　Ｄｉｇｉｔａｌ　Ａｓｓｉｓｔａｎｔｓ）である。携帯端末６には、本システム１００において必要なアプリケーションプログラム（携帯アプリケーション６ａおよびミドルウェア６ｂ）が予めインストールされている。これらのアプリケーションプログラムの内容は、サーバ１に格納される業務アプリケーション１ａおよびミドルウェア１ｂに対応する。すなわち、携帯アプリケーション６ａは、通信プロトコルの上位層であるアプリケーション層を制御するプログラムであり、ミドルウェア６ｂは、通信プロトコルの上位層および下位層に係る制御をするためのプログラムである。
【００１７】
（実施形態の動作）
図２は、情報通信システム１００において、業務サーバ１から携帯端末６に電子メール等のデータ送信をする際のシーケンスチャートである。
まず、業務サーバ１は、送信データおよび送信先である携帯端末６の電話番号（メールアドレスでもよい）のデータをミドルウェアサーバ２に出力する。
より詳細に説明すると、業務サーバ１は、業務アプリケーション１ａを用いて、送信データおよび電話番号のデータをミドルウェア１ｂに引き渡すための処理をする（ステップＳａ１）。また、ミドルウェア１ｂを用いて、送信データおよび電話番号のデータをミドルサーバ２に出力するための処理をする（ステップＳａ２）。このように、業務アプリケーション１ａの役割は、送信データおよび電話番号のデータをミドルウェア１ｂに引き渡すだけであり、すなわち、業務アプリケーション１ａは通信プロトコルの上位層にあたる処理だけをすれば足りるのである。ミドルウェアサーバ２に対する出力処理といった、通信プロトコルのより下位層にあたる処理は、ミドルウェア１ｂの役割である。
【００１８】
このようにして業務サーバ１から送信データおよび電話番号のデータを受け取ると、ミドルウェアサーバ２は、業務サーバ１と携帯端末６との間の通信路を確立するための処理をする。
より詳細に説明すると、ミドルウェアサーバ２は、まず、ミドルウェアサーバプログラム２ａを起動して、業務サーバ１からの送信データおよび電話番号のデータを受け取る。そして、受け取った電話番号のデータを用いて携帯端末６に対する発呼処理を行い、携帯端末６との間でダイアルアップ接続をする（ステップＳａ３）。
そして、ミドルウェアサーバ２は、ミドルウェアサーバプログラム２ａを用いて、ダイアルアップ接続した携帯端末６に対するＩＰアドレスを取得し、携帯端末６との間での通信路を確立させる（ステップＳａ４）。
その後、ミドルウェアサーバ２は、送信データを複数のパケットデータに分割するとともに、各々のパケットデータのヘッダ部分に取得したＩＰアドレスを付したものを、ルータ３に順次出力していく（ステップＳａ５）。
【００１９】
ルータ３は、ミドルウェアサーバ２から出力されるパケットデータを受け取ると、当該パケットデータについて、パケット網９における具体的な通信路を決定する（ＩＰルーティング）。そして、パケットデータを順次パケット網９に出力させていく（ステップＳａ６）。
一方、携帯端末６は、自己に割当てられたＩＰアドレスが付されたパケットをパケット網９を介して受信する。そして、携帯端末６は、受信したパケットデータをモニタ表示させるためのデータに変換し、モニタ（図示せず）に表示させる（ステップＳａ７）。かかる表示内容により、携帯端末６のユーザは受信したデータの内容を視認することができる。
【００２０】
なお、ミドルウェアサーバ２は、携帯端末６に対して割り当てたＩＰアドレスの情報を予め決められる一定期間（例えば１０分）保持するようにするのが好ましい。この場合、ミドルウェアサーバ２は、自身のメモリ（図示せず）に、携帯端末６を特定する情報（電話番号等）とＩＰアドレスとを対応付けて格納しておけばよい。
【００２１】
ミドルウェアサーバ２において、ＩＰアドレスの情報が一定期間保持しておくことにより、業務サーバ１と携帯端末６との間でいったん確立された通信路が、一定期間だけ保持されることになる。この期間内に、携帯端末６から業務サーバ１に対してデータが送信（返信）される場合は、ミドルウェアサーバ２は、既に確立されている通信路を再利用することができ、当該返信データに係る通信処理を迅速に行うことができる。すなわち、ミドルウェアサーバ２は、返信データの通信処理をするにあたっては、再度ＩＰアドレスを取得したり、通信路を確立したりといった煩雑な処理をする必要がいらないのである。
【００２２】
以上説明したように、情報通信システム１００を用いて、業務サーバ１から携帯端末６にデータ送信をするに際して、業務サーバ１の業務アプリケーション１ａの役割は、送信データおよび送信先である携帯端末６の電話番号のデータをミドルウェア１ｂに引き渡すだけで足りる。
その後に行われる、ミドルウェアサーバ２のミドルウェアサーバプログラム２ａに対するデータの引渡しといった通信プロトコルの下位層にあたる煩雑な処理は、業務サーバ１内のミドルウェア１ｂによって行われる。さらに、その後に行われる、ＩＰアドレスの取得といった通信プロトコルの下位層に係る煩雑な処理は、ミドルウェア２内のミドルウェアサーバプログラム２ａによって行われる。
【００２３】
このため、業務サーバ１の業務アプリケーション１ａの開発にあたっては、送信データおよび送信先である携帯端末６の電話番号のデータをミドルウェア１ｂに引き渡す処理を考慮すれば足りる。本実施形態に係る業務サーバ１のアプリケーションソフトウェアの開発者は、多大な技術的負担を強いられることなく、システム１００の構築作業を迅速に進めていくことができるのである。
【００２４】
図３は、本システム１００における、通信プロトコルスタック図である。本システム１００において、業務サーバ１と携帯端末６との関係は、通信プロトコルの最上位層にあたるアプリケーション層で結びついたものになっている。通信プロトコルの下位層（ＴＣＰ／ＩＰ層など）については、業務サーバ１と携帯端末６の関係においては、お互いに意識する必要がいらない。
【００２５】
ここまで、業務サーバ１から携帯端末６にデータ送信する際の動作を説明したが、携帯端末６から業務サーバ１にデータ送信する際の動作の内容も同様である。
すなわち、携帯端末６には、携帯アプリケーション６ａおよびミドルウェア６ｂがインストールされており、これらは、業務サーバ１の業務アプリケーション１ａとミドルウェア１ｂの内容に対応するものである。また、プロトコルスタック図（図３参照）に示されるように、業務サーバ１と携帯端末６とは、ミドルウェアサーバ２に対し、通信プロトコルが対称の関係にある。
【００２６】
このため、携帯端末６から業務サーバ１にデータ送信をするときは、上述した業務サーバ１に準じた制御が携帯端末６によって行われる。すなわち、携帯端末６は、携帯アプリケーション６ａを用いて、送信データおよび送信先である業務サーバ１の電話番号のデータをミドルウェア６ｂに引き渡す処理をする。次いで、ミドルウェア６ｂを用いて、その後の、業務サーバ１との間における通信路確立に係る処理を行う。
この後、ミドルウェアサーバ２のミドルウェアサーバプログラム２ａによって、ＩＰアドレスの取得、管理といった一連の制御が行われる点については上述したのと同様である。
【００２７】
このように、携帯端末６から業務サーバ１にデータ送信をする際において、携帯端末６の携帯アプリケーション６ａは、業務サーバ１の業務アプリケーション１ａと同様、送信データや送信先である業務サーバ１の電話番号をミドルウェア６ｂに引き渡す処理だけをすれば足りる。このため、携帯端末６のアプリケーションソフトウェア開発者にとっても、多大な技術的負担を強いられることなく、プログラム開発を進め、携帯アプリケーション６ａを搭載した携帯端末６をユーザに迅速に供給することができる。
【００２８】
（変形例）
以上、本発明の実施形態についての説明を行ったが、本実施形態はあくまで一
例であり、任意に変形を加えることができる。
たとえば、上述実施形態においては、業務サーバ１に業務アプリケーション１ａおよびミドルウェア１ｂがインストールされているが、業務アプリケーション１ａがインストールされるサーバと、ミドルウェア１ｂがインストールされるサーバと別途設けたシステム構成であってもよい。
また、業務サーバ１に複数の業務アプリケーション１ａやミドルウェア１ｂをインストールし、携帯端末６との通信形態（通信速度、通信データ容量など）に応じた業務アプリケーション１ａおよびミドルウェア１ｂを選択するようにしてもよい。
【００２９】
さらに業務サーバ１や携帯端末６などに対し、本発明に係るプログラムのインストール方法は任意である。プログラムを記録したＣＤ−ＲＯＭ（Ｃｏｍｐａｃｔ　Ｄｉｓｃ−　Ｒｅａｄ　Ｏｎｌｙ　Ｍｅｍｏｒｙ）やＩＣ（Ｉｎｔｅｇｒａｔｅｄ　Ｃｉｒｃｕｉｔ）カード等を用いてインストールするようにしてもよく、インターネット等のネットを介してネット配信によるインストールをしてもよい。
【発明の効果】
以上説明したように、本発明によれば、サーバ側において、通信プロトコルの上位層から下位層に至るあらゆる層の処理内容を意識することなく、携帯端末との間でデータ送受信できるシステムを容易に構築することができる。
【図面の簡単な説明】
【図１】本発明の実施形態に係る情報送信システム１００を示す図である。
【図２】同情報送信システム１００のシーケンスチャートである。
【図３】同情報送信システム１００のプロトコルスタック図である。
【符号の説明】
１……業務サーバ、１ａ……業務アプリケーション、１ｂ……ミドルウェア、
２……ミドルウェアサーバ、２ａ……ミドルウェアサーバプログラム、
３……ルータ、
６……携帯端末、６ａ……携帯アプリケーション、６ｂ……ミドルウェア、
７……ＬＡＮ（ローカルエリアネットワーク）、
８……専用線、
９……パケット網、
７１……業務サーバ、７２……ミドルウェアサーバ、
７３Ａ、７３Ｂ……ルータ、
７６Ａ、７６Ｂ……携帯端末、
１００……情報通信システム。
【図１】
2004104617.tif 000003
【図２】
2004104617.tif 000004
【図３】
2004104617.tif 000005